(57)【要約】【課題】熱膨張材を必要としない非防火区画用の天井板支持具を用いても、熱膨張材を簡易かつ確実に固定でき、火災時等において、自動的に換気を停止し得る防火区画用の天井板支持具として使用できることにある。【解決手段】天井板支持具１０は、支持具本体１１と、熱膨張材４０を保持したプレート体３０とからなっている。支持具本体１１は、下面部２５の換気スリット２６，２６，…と、上面部２０の換気スリット２１，２１，…とを備えることで、換気通路２９が形成される。この換気通路２９によって、天井板支持具１０は、換気可能に天井板を支持することが可能となる。これに対して、プレート体３０が起立部１２に摺接するようにして差し込まれる。そして、この換気通路２９を熱風が通ると、プレート体３０に保持された熱膨張材４０が破線のように膨張する。これによって、換気通路２９が閉塞され、天井板支持具１０は自動的に換気を停止する。【選択図】  図１
2004300806.tif 000002
【特許請求の範囲】
【請求項１】
壁面に取り付けられ、換気可能に天井板を支持する天井板支持具であって、
上下方向から天井板を挟む支持具本体が、換気スリットを備えて、天井板下面側から天井板上面側へ通じる換気通路を形成し、
この支持具本体に熱膨張材を保持したプレート体が差し込まれ、その熱膨張材が換気通路を通る熱風によって膨張し換気通路を閉塞可能とする天井板支持具。
【請求項２】
支持具本体は、取付孔を備えて壁面に接する起立部と、
起立部上端より水平に延びながら数条の換気スリットを備えるとともに、その先端を下方へ傾斜させる上面部と、
起立部下端より水平に延びながら数条の換気スリットを備えるとともに、その先端を起立させて起立部側に天井板を載置する載置片を備える下面部とからなり、
プレート体は、支持具本体の起立部と同じ位置に取付孔と、
熱膨張材を保持した保持片とを備えて起立部に摺接するように差し込まれ、
上面部の換気スリットによって形成される細長片を起立部側へ折曲し、プレート体を起立部に固定する請求項１記載の天井板支持具。
【請求項３】
起立部の壁面側に弾性体を設けた請求項１又は２記載の天井板支持具。
【発明の詳細な説明】
【０００１】
【発明の属する技術分野】
本発明は、壁面に取り付けられ、換気可能に天井板を支持する天井板支持具に関するものである。詳しくは、火災時等において、自動的に換気を停止し得る天井板支持具に関するものである。
【０００２】
【従来の技術】
壁面に取り付けられ、換気可能に天井板を支持する天井板支持具に関する先行技術としては、特許文献１から４が存在する。
この中で、火災時等において、自動的に換気を停止し得る技術は、特許文献１及び２に開示されている。そのいずれも、熱膨張材を用いて換気通路を閉鎖（閉塞）させるものである。
【０００３】
【特許文献１】
特開平７−４２２９９号公報
【特許文献２】
特許第３２６８０２４号公報
【特許文献３】
実開平５−３２５３１号公報
【特許文献４】
実公平７−１８８１３号公報
【０００４】
【発明が解決しようとする課題】
しかし、特許文献１及び２の場合では、熱膨張材を天井板支持具へ安定的に取付固定するために、天井板支持具に凹溝や段差部を新たに形成しなければならなかった。
【０００５】
一般的に防火区画では熱膨張材などにより天井板支持具の通気孔を塞ぐ必要があるが、非防火区画では塞ぐ必要はない。このため、防火区画と非防火区画が混在する現場の場合には、熱膨張材を備えた天井板支持具と、熱膨張材を備えない天井板支持具とが必要になる。この場合、上記のように熱膨張材を取付固定する天井板支持具とそうでない天井板支持具とではその形状が異なると、２つのタイプの天井板支持具を用意しなければならない。このため、保管も煩わしく、両者を混同し誤って施工してしまう可能性もあった。
【０００６】
また、熱膨張材を天井板支持具へ確実に固定するために、通常両面テープや接着剤を用いて貼り付け固定している。
しかし、熱膨張材に両面テープや接着剤を施して固定するという作業は、工数がかかり手間とコストアップの原因にもなっていた。
【０００７】
そこで、本発明は、上記事情に鑑みてなされたもので、熱膨張材を必要としない非防火区画用の天井板支持具を用いても、熱膨張材を簡易かつ確実に固定でき、火災時等において、自動的に換気を停止し得る防火区画用の天井板支持具として使用できることを目的とする。
【０００８】
【課題を解決するための手段】
上記目的を達成するために、第一の発明は、壁面に取り付けられ、換気可能に天井板を支持する天井板支持具であって、
上下方向から天井板を挟む支持具本体が、換気スリットを備えて、天井板下面側から天井板上面側へ通じる換気通路を形成し、
この支持具本体に熱膨張材を保持したプレート体が差し込まれ、その熱膨張材が換気通路を通る熱風によって膨張し換気通路を閉塞可能とすることを特徴とする。
【０００９】
第二の発明は、支持具本体は、取付孔を備えて壁面に接する起立部と、
起立部上端より水平に延びながら数条の換気スリットを備えるとともに、その先端を下方へ傾斜させる上面部と、
起立部下端より水平に延びながら数条の換気スリットを備えるとともに、その先端を起立させて起立部側に天井板を載置する載置片を備える下面部とからなり、
プレート体は、支持具本体の起立部と同じ位置に取付孔と、
熱膨張材を保持した保持片とを備えて起立部に摺接するように差し込まれ、
上面部の換気スリットによって形成される細長片を起立部側へ折曲し、プレート体を起立部に固定することを特徴とする。
【００１０】
第三の発明は、起立部の壁面側に弾性体を設けたことを特徴とする。
【００１１】
【発明の実施の形態】
本発明の実施の形態を図面に基づいて説明する。
図１は、本発明の天井板支持具の一例を示す斜視図である。
天井板支持具１０は、上下方向から天井板を挟む支持具本体１１と、熱膨張材４０を保持したプレート体３０とからなっている。ここで、支持具本体１１は、これ単独で非防火区画における天井板支持具として使用することができるものである。詳しくは、次の説明の通りである。
【００１２】
支持具本体１１は、取付孔１３を備えて壁面に接する起立部１２を備えている。取付孔１３にはビスなどを使って、壁面に天井板支持具１０を取り付けることになる。
そして、その起立部１２の上端１４より水平に延びながら数条の換気スリット２１，２１，…を備えるとともに、その先端２３を下方へ傾斜させる上面部２０を有する。
また、起立部１２の下端１５より水平に延びながら数条の換気スリット２６，２６，…を備えるとともに、その先端を起立させて起立部１２側に天井板を載置する載置片２７を備える下面部２５とを有する。
【００１３】
このようにして、支持具本体１１が、下面部２５の換気スリット２６，２６，…と、上面部２０の換気スリット２１，２１，…とを備えることで、天井板下面側から天井板上面側へ通じる換気通路２９が形成されることになる。この換気通路２９によって、天井板支持具１０は、換気可能に天井板を支持することが可能となる。
【００１４】
これに対して、この支持具本体１１を防火区画で使用する場合には、プレート体３０を支持具本体１１へ差し込むことで防火区画用天井板支持具として使用する。
そのプレート体３０は、支持具本体１１の起立部１２と同じ位置に取付孔３１，３１，…と、熱膨張材４０を保持した保持片３２，３２，…とを備える。
そして、このプレート体３０は、支持具本体１１の起立部１２に摺接するようにして差し込まれる。
【００１５】
図２は、天井板支持具１０の使用状態を示す断面図である。
天井板支持具１０は、支持具本体１１の載置部２７に天井板５０を載置するとともに、先端２３を下方へ傾斜させる上面部２０によって上下方向から挟むようにして天井板５０を支持する。
なお、天井板５０は、天井板支持具１０へ挿入する端部５１側を上方へ傾斜させて、天井板支持具１０の斜め下方向から挿入する。挿入後、天井板５０は他端側を持ち上げて、図２に示すように水平状態で支持される。
【００１６】
また、支持具本体１１の起立部１２に摺接するようにして差し込まれたプレート体３０は、支持具本体１１の上面部２０の換気スリット２１，２１，…によって形成される細長片２２を起立部１２側へ折曲することで固定される。こうすることで、とくに他の部材を用いることなく、プレート体３０を支持具本体１１に確実に固定することが可能となる。
【００１７】
そして、天井板支持具１０に形成された換気通路２９を熱風が通ると、プレート体３０に保持された熱膨張材４０が破線のように膨張する。これによって、換気通路２９が閉塞され、天井板支持具１０は自動的に換気を停止する。
【００１８】
なお、支持具本体１１の起立部１２の壁面側に弾性体（例えば、ＥＰＤＭなど）４６を設けることで、起立部１２と壁面との隙間を埋めることができ、凹凸のある壁面に対しても確実に天井板支持具１０を取り付けることができるようになる。
【００１９】
図３は、本発明の天井板支持具のその他の実施形態を示したものである。
すなわち、上面部２０において、図１に示すように均等に満遍なく換気スリット２１，２１，…を設けるのではなく、部分部分に換気スリット２１ｂ，２１ｂ，…を設けてもよい。図示省略するが、下面部２５においても同様である。ただし、上面部２０や下面部２５に設けられる換気スリットはこれに限られるものではない。天井板用支持金具内に換気通路が形成できるように設けられればよい。
【００２０】
【発明の効果】
本発明によれば、プレート体という別部材を差し込むことで、熱膨張材を必要としない非防火区画用の天井板支持具を、火災時等において自動的に換気を停止し得る防火区画用の天井板支持具として提供することできる。しかも、その構造がシンプルであり、製造のコストパフォーマンスが高いものである。
【図面の簡単な説明】
【図１】天井板支持具の一例を示す斜視図。
【図２】天井板支持具の使用状態を示す断面図。
【図３】天井板支持具のその他の実施形態を示した説明図。
【符号の説明】
１０  天井板支持具
１１  支持具本体
１２  起立部
１３  取付孔
１４  上端
１５  下端
２０  上面部
２１  換気スリット
２２  細長片
２３  先端
２５  下面部
２６  換気スリット
２７  載置部
２９  換気通路
３０  プレート体
３１  取付孔
３２  保持片
４０  熱膨張材
【図１】
2004300806.tif 000003
【図２】
2004300806.tif 000004
【図３】
2004300806.tif 000005